(57)【要約】【課題】ガスを第１側板から第２側板に向かう方向に沿ってチャンバの内部に供給することが可能であるとともに、筐体に設けられた開口部を介してファン及びチャンバを容易に接続することが可能な温水装置を提供する。【解決手段】温水装置は、筐体と、筐体の内部に配置されているファン及びチャンバと、ネジとを備える。筐体は、第１方向において互いに対向し、第１方向に交差する第２方向に沿って背板の両側端から延在する第１側板及び第２側板とを有している。筐体には、第２方向において背板とは反対側に開口部が設けられている。ファンは、吐出口と、第１方向に沿って延在する第１流路と、第１フランジとを有している。チャンバは、吸入口と、第１方向に沿って延在する第２流路と、第２フランジとを有している。第１フランジ及び第２フランジは、ネジにより固定されている。ネジの中心軸は、平面視において、頭部側が先端部側よりも開口部に近くなるように傾斜している。【選択図】図１２
2020030015.tif 000002
【特許請求の範囲】
【請求項１】
背板と、第１方向において互いに対向するとともに、前記第１方向に交差する第２方向に沿って前記背板の両側端から延在する第１側板及び第２側板とを有し、かつ、前記第２方向において前記背板とは反対側に開口部が設けられた筐体と、
前記筐体の内部に配置されているファン及びチャンバと、
ネジとを備え、
前記ファンは、吐出口と、前記第１方向に沿って前記吐出口へと延在している第１流路と、前記第１流路の外周面から張り出すように前記吐出口に設けられた第１フランジとを有しており、
前記チャンバは、吸入口と、前記第１方向に沿って前記吸入口から延在している第２流路と、前記第２流路の外周面から張り出すように前記吸入口に設けられた第２フランジとを有しており、
前記第１フランジ及び前記第２フランジは、前記吐出口及び前記吸入口が連通するように互いに当接した状態で前記ネジにより固定されており、
前記ネジは、頭部と、前記ネジの中心軸に沿う方向において前記頭部とは反対側に位置する先端部とを有しており、
前記ネジの中心軸は、平面視において、前記頭部側が前記先端部側よりも前記開口部に近くなるように傾斜している、温水装置。
【請求項２】
前記第１フランジは、前記第２フランジに当接する第１面と、前記第１面の反対面である第２面とを有しており、
前記第２面は、前記ネジが挿通される貫通孔が形成され、かつ、平面視において前記ネジの中心軸と交差するように傾斜している座面部を含んでいる、請求項１に記載の温水装置。
【請求項３】
前記ネジの中心軸は、前記ネジの中心軸を延長した仮想線が平面視において前記開口部を通過するように傾斜している、請求項１又は請求項２に記載の温水装置。
【請求項４】
前記第２フランジは、前記第１フランジに当接する第３面を有しており、
前記第３面は、凹部を含んでおり、
前記凹部の底面には、前記ネジと螺合されるネジ穴が形成されている、請求項１〜請求項３のいずれか１項に記載の温水装置。
【請求項５】
前記ネジ穴は、前記第２フランジを貫通している、請求項４に記載の温水装置。
【請求項６】
前記第１フランジの外周面は、第１平坦面部を含んでおり、
前記チャンバは、前記第１平坦面部と当接する第２平坦面部を有している、請求項１〜請求項５のいずれか１項に記載の温水装置。
【請求項７】
点火プラグをさらに備え、
前記点火プラグは、平面視において、前記開口部側に配置されており、
前記第１流路及び前記第２流路は、平面視において、前記開口部側に配置されている、請求項１〜請求項６のいずれか１項に記載の温水装置。
【発明の詳細な説明】
【技術分野】
【０００１】
本発明は、温水装置に関する。
【背景技術】
【０００２】
特開２０１８−１１２３２１号公報（特許文献１）には、温水装置が記載されている。特許文献１に記載の温水装置は、筐体と、チャンバと、ファンとを有している。チャンバ及びファンは、筐体の内部に配置されている。
【０００３】
筐体は、背板部と、一対の側板部とを有している。一対の側板部（第１側板部及び第２側板部）は、背板部の両側端から前方に延在している。筐体は、前方に開口部を有している。チャンバは、筐体の内部に配置されている。チャンバは、第１取り付け面と、吸入口とを有している。第１取り付け面は、平面視において背板部に対して傾斜している。吸入口は、第１取り付け面において斜め前方に向けて開口している。
【０００４】
ファンは、吐出口が設けられた第２取り付け面を有している。ファンは、吸入口及び吐出口が連通するように第１取り付け面と第２取り付け面とを対向させた状態でチャンバに取り付けられている。第１取り付け面及び第２取り付け面は、ネジで相互に固定されている。ネジは、第１取り付け面及び第２取り付け面に形成されているネジ穴に螺合されている。ネジ穴は、第１取り付け面及び第２取り付け面に直交するように形成されている。
【先行技術文献】
【特許文献】
【０００５】
【特許文献１】特開２０１８−１１２３２１号公報
【発明の概要】
【発明が解決しようとする課題】
【０００６】
特許文献１に記載の温水装置において、ファンから吐出された混合ガスは、平面視において背板部に対して傾斜した方向に沿ってチャンバの内部に吸入される。すなわち、ファンから吐出された混合ガスを、第１側板部から第２側板部に向かう方向に沿ってチャンバの内部に吸入させることはできない。
【０００７】
仮に、特許文献１に記載の温水装置においてファンから吐出された混合ガスが第１側板部から第２側板部に向かう方向に沿ってチャンバの内部に吸入されるようにチャンバ及びファンを配置した場合には、ネジにより第１取り付け面及び第２取り付け面を固定することが困難になる。
【０００８】
本発明は、上記のような従来技術の問題点に鑑みてなされたものである。より具体的には、本発明は、混合ガスを第１側板から第２側板に向かう方向に沿ってチャンバの内部に供給することが可能であるとともに、筐体に設けられた開口部を介してファン及びチャンバを容易に接続することが可能な温水装置を提供する。
【課題を解決するための手段】
【０００９】
本発明の一態様に係る温水装置は、筐体と、筐体の内部に配置されているファン及びチャンバと、ネジとを備えている。筐体は、第１方向において互いに対向するとともに、第１方向に交差する第２方向に沿って背板の両側端から延在する第１側板及び第２側板とを有している。筐体には、第２方向において背板とは反対側に開口部が設けられている。
【００１０】
ファンは、吐出口と、第１方向に沿って吐出口へと延在している第１流路と、第１流路の外周面から張り出すように吐出口に設けられた第１フランジとを有している。チャンバは、吸入口と、第１方向に沿って吸入口から延在している第２流路と、第２流路の外周面から張り出すように吸入口に設けられた第２フランジとを有している。
【００１１】
第１フランジ及び第２フランジは、吐出口及び吸入口が連通するように互いに当接した状態でネジにより固定されている。ネジは、頭部と、ネジの中心軸に沿う方向において頭部とは反対側に位置する先端部とを有している。ネジの中心軸は、平面視において、頭部側が先端部側よりも開口部に近くなるように傾斜している。
【００１２】
上記の温水装置においては、第１流路及び第２流路が第１方向に沿って延在している。そのため、ファンから吐出される混合ガスは、第１方向に沿って、チャンバの内部に供給される。上記の温水装置においては、ネジの中心軸が、平面視において、頭部側が先端部側よりも開口部に近くなるように傾斜している。そのため、作業者は、筐体の開口部を介して容易にチャンバ及びファンの接続を行うことができる。
【００１３】
上記の温水装置において、第１フランジは、第２フランジに当接する第１面と、第１面の反対面である第２面とを有していてもよい。第２面は、ネジが挿通される貫通孔が形成され、かつ、平面視においてネジの中心軸と交差するように傾斜している座面部を含んでいてもよい。
【００１４】
上記の温水装置において、ネジの中心軸は、ネジの中心軸を延長した仮想線が平面視において開口部を通過するように傾斜していてもよい。
【００１５】
上記の温水装置において、第２フランジは、第１フランジに当接する第３面を有していてもよい。第３面は、凹部を含んでいてもよい。凹部の底面には、ネジと螺合されるネジ穴が形成されていてもよい。この場合には、タップ等のネジ穴を形成するための工具がネジ穴を形成しようとする位置からずれにくいため、ネジ穴を精度よく形成することができる。
【００１６】
上記の温水装置において、ネジ穴は、第２フランジを貫通していていてもよい。この場合には、ネジ穴を形成する際に発生した切屑を容易に排出することができる。
【００１７】
上記の温水装置において、第１フランジの外周面は第１平坦面部を含んでいてもよい。チャンバは、第１平坦面部と当接する第２平坦面部を有していてもよい。この場合、第１平坦部と第２平坦部とが当接することにより、第１方向に平行な回転軸周りのファンの回転を抑制することができる。
【００１８】
上記の温水装置は、点火プラグをさらに備えていてもよい。点火プラグは、平面視において、開口部側に配置されていてもよい。第１流路及び第２流路は、平面視において、開口部側に配置されていてもよい。この場合には、混合ガスは、点火プラグの近傍に供給されやすくなるため、バーナの点火性能を改善することができる。
【発明の効果】
【００１９】
本発明の一態様に係る温水装置によると、混合ガスを第１側板から第２側板に向かう方向に沿ってチャンバの内部に供給することが可能になるとともに、筐体に設けられた開口部を介してファン及びチャンバを容易に接続することが可能になる。
【図面の簡単な説明】
【００２０】
【図１】実施形態に係る温水装置１００の概略構成図である。
【図２】実施形態に係る温水装置１００の筐体１０の斜視図である。
【図３】実施形態に係る温水装置１００のファン４２の斜視図である。
【図４】実施形態に係る温水装置１００のファン４２の側面図である。
【図５】図４のＶ−Ｖにおける断面図である。
【図６】実施形態に係る温水装置１００のチャンバ４１の斜視図である。
【図７】実施形態に係る温水装置１００のチャンバ４１の上面図である。
【図８】実施形態に係る温水装置１００のチャンバ４１の側面図である。
【図９】図８のＩＸ−ＩＸの断面図である。
【図１０】図８のＸ−Ｘにおける断面図である。
【図１１】実施形態に係る温水装置１００のチャンバ４１及びファン４２の斜視図である。
【図１２】実施形態に係る温水装置１００のチャンバ４１及びファン４２の上面図である。
【図１３】図１１のＸＩＩＩ−ＸＩＩＩにおける断面図である。
【図１４】図１１のＸＩＶ−ＸＩＶにおける断面図である。
【発明を実施するための形態】
【００２１】
本発明の実施形態を、図面を参照しながら説明する。以下の図面においては、同一又は相当する部分に同一の参照符号を付し、重複する説明は繰り返さない。
【００２２】
（実施形態に係る温水装置の構成）
以下に、実施形態に係る温水装置１００の構成を説明する。
【００２３】
＜概略構成＞
図１に示されるように、温水装置１００は、筐体１０と、一次熱交換器２０と、点火プラグ２１と、二次熱交換器３０と、バーナ４０と、チャンバ４１と、ファン４２と、ダクト４３と、ベンチュリ４４と、オリフィス４５と、ガスバルブ４６と、配管５０ａ〜配管５０ｇと、バイパス配管５１ａ及びバイパス配管５１ｂと、バイパスサーボ５２とを有している。
【００２４】
一次熱交換器２０、点火プラグ２１、二次熱交換器３０、バーナ４０、チャンバ４１、ファン４２、ダクト４３、ベンチュリ４４、オリフィス４５、ガスバルブ４６、配管５０ａ〜配管５０ｇ、バイパス配管５１ａ、バイパス配管５１ｂ及びバイパスサーボ５２は、筐体１０内に配置されている。
【００２５】
バーナ４０は、チャンバ４１の下方に配置されている。一次熱交換器２０は、バーナ４０の下方に配置されている。点火プラグ２１は、バーナ４０の下方に配置されている。点火プラグ２１は、例えば一次熱交換器２０に取り付けられている。二次熱交換器３０は、一次熱交換器２０の下方に配置されている。
【００２６】
配管５０ａの一方端からは、燃料ガスが供給される。配管５０ａの他方端は、ガスバルブ４６に接続されている。配管５０ｂの一方端は、ガスバルブ４６に接続されている。配管５０ｂの他方端は、オリフィス４５に接続されている。配管５０ｃの一方端は、オリフィス４５に接続されている。配管５０ｃの他方端は、ベンチュリ４４に接続されている。
【００２７】
配管５０ｄの一方端は、ベンチュリ４４に接続されている。配管５０ｄの他方端は、ファン４２に接続されている。ファン４２は、チャンバ４１に接続されている。この点に関しては、後述する。チャンバ４１は、バーナ４０に接続されている。
【００２８】
配管５０ｅの一方端からは、水が供給される。配管５０ｅの他方端は、二次熱交換器３０に接続されている。配管５０ｆの一方端は、二次熱交換器３０に接続されている。配管５０ｆの他方端は、一次熱交換器２０に接続されている。配管５０ｇの一方端は、一次熱交換器２０に接続されている。配管５０ｇの他方端からは、出湯が行われる。
【００２９】
バイパス配管５１ａの一方端は、配管５０ｅに接続されている。バイパス配管５１ａの他方端は、バイパスサーボ５２に接続されている。バイパス配管５１ｂの一方端は、バイパスサーボ５２に接続されている。バイパス配管５１ｂの他方端は、配管５０ｇに接続されている。
【００３０】
ガスバルブ４６は、配管５０ａからの燃料ガスの供給及び停止を切り替える。これにより、ベンチュリ４４に供給される燃料ガスの圧力が調整される。
【００３１】
ベンチュリ４４は、筐体１０の外部から空気を取り入れるように構成されている。ベンチュリ４４は、筐体１０の外部から取り入れた空気と、配管５０ａ、配管５０ｂ、配管５０ｃ、オリフィス４５及びガスバルブ４６を介してベンチュリ４４に供給される燃料ガスとを混合する（空気と混合された燃料ガスを、以下において、混合ガスという）。
【００３２】
ファン４２は、ファンケース４２ａ（図３参照）と、ファンケース内に配置されている羽根車４２ｂ（図示せず）と、羽根車を回転駆動するモータ４２ｃ（図３参照）とを有している。ファン４２は、モータ４２ｃが羽根車４２ｂを回転駆動させることにより、配管５０ｃを介して、ベンチュリ４４で生成された混合ガスを吸入する。吸入された混合ガスは、チャンバ４１を介してバーナ４０へと供給される。
【００３３】
バーナ４０の下面に設けられた炎孔からは、下方に向かって混合ガスが噴出される。噴出された混合ガスは、点火プラグ２１により点火されて燃焼し、燃焼ガスとなる。燃焼ガスは、下方に向かって（すなわち、一次熱交換器２０に向かって）噴出する。
【００３４】
配管５０ｅを介して二次熱交換器３０に供給された水は、二次熱交換器３０において、燃焼ガスの潜熱と熱交換を行うことにより、温度が上昇する。二次熱交換器３０を通過した水は、配管５０ｆを介して一次熱交換器２０に供給される。一次熱交換器２０に供給された水は、一次熱交換器２０において、燃焼ガスの顕熱と熱交換を行うことにより、温度がさらに上昇する。一次熱交換器２０を通過した水は、配管５０ｇを流れる。
【００３５】
配管５０ｅを流れる水の一部は、バイパス配管５１ａへと流れる。バイパス配管５１ａからバイパス配管５１ｂへと流れる水の流量は、バイパスサーボ５２により制御される。バイパス配管５１ｂを流れる水は、配管５０ｇを流れる水と混合される。すなわち、配管５０ｇの他方端から出湯される水の温度は、バイパスサーボ５２がバイパス配管５１ａからバイパス配管５１ｂへと流れる水の流量を制御することにより、調整される。
【００３６】
一次熱交換器２０内において燃焼ガス中の水蒸気が凝縮することにより発生した水（以下においては、この水を、ドレンという）は、ダクト４３を通って筐体１０の外部へと排出される。
【００３７】
＜筐体の詳細構成＞
図２に示されるように、筐体１０は、背板１０ａと、側板１０ｂ（第１側板）と、側板１０ｃ（第２側板）と、開口部１０ｄとを有している。側板１０ｂ及び側板１０ｃは、第１方向ＤＲ１において互いに対向している。側板１０ｂ及び側板１０ｃは、第１方向ＤＲ１に交差する第２方向ＤＲ２に沿って、背板１０ａの両側端から延在している。開口部１０ｄは、第２方向において、背板１０ａとは反対側に設けられている。
【００３８】
なお、図２中において図示されていないが、筐体１０は、開口部１０ｄを覆うように取り付けられる前板をさらに有している。また、好ましくは、第２方向ＤＲ２は、第１方向ＤＲ１と直交している。
【００３９】
＜ファンの構成＞
図３〜５に示されるように、ファン４２は、吐出口４２ｄと、流路４２ｅ（第１流路）と、フランジ４２ｆ（第１フランジ）とを有している。吐出口４２ｄ、流路４２ｅ及びフランジ４２ｆは、ファンケース４２ａに設けられている。
【００４０】
流路４２ｅは、吐出口４２ｄに向かって延在している。流路４２ｅは、第１方向ＤＲ１に沿って延在している。なお、流路４２ｅの延在方向が第１方向ＤＲ１と完全に平行でなくても、流路４２ｅの延在方向と第１方向ＤＲ１とがなす角度が０±５°の範囲内にあれば、「流路４２ｅが第１方向ＤＲ１に沿って延在している」に含まれる。ファン４２が吸引した混合ガスは、流路４２ｅを通って吐出口４２ｄから吐出される。
【００４１】
フランジ４２ｆは、吐出口４２ｄに設けられている。フランジ４２ｆは、流路４２ｅの外周面から張り出すように設けられている。
【００４２】
フランジ４２ｆは、例えば、第１方向ＤＲ１に直交する面内において、流路４２ｅの外周面から張り出している。このことを別の観点からいえば、フランジ４２ｆは、側板１０ｂ及び側板１０ｃと平行になっている。フランジ４２ｆは、矩形形状を有している。
【００４３】
フランジ４２ｆは、第１面４２ｆａと、第２面４２ｆｂとを有している。第１面４２ｆａは、後述するフランジ４１ｃと当接する面である。第２面４２ｆｂは、第１面４２ｆａの反対面である。
【００４４】
第２面４２ｆｂは、座面部４２ｆｃを有している。座面部４２ｆｃには、貫通孔４２ｆｄが形成されている。貫通孔４２ｆｄは、第１面４２ｆａに達している。貫通孔４２ｆｄには、後述するネジ６が挿通される。座面部４２ｆｃは、平面視において、ネジ６の中心軸に交差するように傾斜している。フランジ４２ｆの外周面は、平坦面部４２ｆｅ（第１平坦面部）を有している。平坦面部４２ｆｅは、平坦な面で構成されている。平坦面部４２ｆｅは、吐出口４２ｄの下方に位置している。
【００４５】
＜チャンバの構成＞
図６〜１０に示されるように、チャンバ４１は、吸入口４１ａと、流路４１ｂ（第２流路）と、フランジ４１ｃ（第２フランジ）と、凹部４１ｄと、平坦面部４１ｅ（第２平坦面部）とを有している。
【００４６】
吸入口４１ａからは、混合ガスが吸入される。流路４１ｂは、吸入口４１ａから延在している。流路４１ｂは、第１方向ＤＲ１に沿って延在している。なお、流路４１ｂの延在方向が第１方向ＤＲ１と完全に平行でなくても、流路４１ｂの延在方向と第１方向ＤＲ１とがなす角度が０±５°の範囲内にあれば、「流路４１ｂが第１方向ＤＲ１に沿って延在している」に含まれる。吸入口４１ａから吸入された混合ガスは、流路４１ｂを介してチャンバ４１の内部に供給される。
【００４７】
フランジ４１ｃは、例えば、第１方向ＤＲ１に直交する面内において、流路４１ｂの外周面から張り出している。このことを別の観点からいえば、フランジ４１ｃは、側板１０ｂ及び側板１０ｃと平行になっている。フランジ４１ｃは、矩形形状を有している。
【００４８】
フランジ４１ｃは、第３面４１ｃａと、第４面４１ｃｂとを有している。第３面４１ｃａは、フランジ４２ｆと当接する面である。第４面４１ｃｂは、第３面４１ｃａの反対面である。
【００４９】
第３面４１ｃａは、凹部４１ｄを有している。第３面４１ｃａは、凹部４１ｄにおいて窪んでいる。凹部４１ｄは、底面４１ｄａを有している。底面４１ｄａには、ネジ穴４１ｄｂが形成されている。ネジ穴４１ｄｂは、後述するネジ６と螺合される。底面４１ｄａは、後述するネジ６の中心軸に沿う方向と交差するように傾斜している。ネジ穴４１ｄｂは、フランジ４１ｃを貫通していることが好ましい。ネジ穴４１ｄｂは、タップ等の工具を用いて形成される。
【００５０】
平坦面部４１ｅは、チャンバ４１及びファン４２が互いに接続されている状態において（フランジ４１ｃ及びフランジ４２ｆが互いに当接している状態において）、平坦面部４２ｆｅと当接している。平坦面部４１ｅは、平坦な面により構成されている。
【００５１】
＜ファン及びチャンバの接続＞
図１１〜１４に示されるように、チャンバ４１及びファン４２は、互いに接続されている。より具体的には、フランジ４１ｃ及びフランジ４２ｆは、吸入口４１ａ及び吐出口４２ｄが連通するように、互いに当接している。
【００５２】
ネジ６は、頭部６ａと、先端部６ｂとを有している。頭部６ａは、ネジ６の中心軸に沿う方向における一方端に位置している。先端部６ｂは、ネジ６の中心軸に沿う方向における他方端に位置している。すなわち、先端部６ｂは、ネジ６の中心軸に沿う方向において頭部６ａの反対側に位置している。
【００５３】
ネジ６は、貫通孔４２ｆｄに挿通されるとともに、頭部６ａが座面部４２ｆｃに接するようにネジ穴４１ｄｂに螺合されることにより、フランジ４１ｃ及びフランジ４２ｆを互いに固定している。これにより、チャンバ４１及びファン４２が互いに接続されている。ネジ６の中心軸は、平面視において頭部６ａ側が先端部６ｂ側によりも開口部１０ｄに近くなるように傾斜している。より具体的には、ネジ６の中心軸は、ネジ６の中心軸を延長した仮想線ＶＬが開口部１０ｄを通過するように傾斜している。なお、「ネジ６の中心軸はネジ６の中心軸を延長した仮想線ＶＬが開口部１０ｄを通過するように傾斜している」ことは、全てのネジ６について満たされている。
【００５４】
平面視において、点火プラグ２１は、チャンバ４１の開口部１０ｄ側に位置している。「平面視において、点火プラグ２１がチャンバ４１の開口部１０ｄ側に位置している」とは、平面視において、点火プラグ２１が、チャンバ４１の第２方向ＤＲ２における中央よりも開口部１０ｄ側に位置していることをいう。
【００５５】
ファン４２は、筐体１０内において側板１０ｂ側に配置されている。チャンバ４１は、筐体１０内において側板１０ｃ側に配置されている。
【００５６】
流路４１ｂ及び流路４２ｅは、平面視において、チャンバ４１の開口部１０ｄ側に位置している。なお、「平面視において流路４１ｂ及び流路４２ｅがチャンバ４１の開口部１０ｄ側に位置している」とは、平面視において、流路４１ｂ及び流路４２ｅが、チャンバ４１の第２方向ＤＲ２における中央よりも開口部１０ｄ側に位置していることをいう。
【００５７】
（実施形態に係る温水装置の効果）
以下に、実施形態に係る温水装置の効果を説明する。
【００５８】
＜基本的な効果＞
温水装置１００においては、流路４１ｂ及び流路４２ｅが第１方向ＤＲ１に沿って延在している。そのため、ファン４２から吐出される混合ガスは、第１方向ＤＲ１に沿って、チャンバ４１の内部に吸入される。
【００５９】
温水装置１００においては、フランジ４１ｃ及び４２ｆがネジ６により固定されているが、ネジ６は、平面視において、頭部６ａ側が先端部６ｂ側によりも開口部１０ｄに近くなるように傾斜している。そのため、作業者は、ドライバ等の工具を用いて、筐体１０の開口部１０ｄを介して、ネジ６を回転させやすい。
【００６０】
このように、温水装置１００によると、混合ガスを第１方向ＤＲ１に沿ってチャンバ４１の内部に供給することが可能になるとともに、筐体１０に設けられた開口部１０ｄを介してチャンバ４１とファン４２とを容易に接続することが可能になる。
【００６１】
＜付随的な効果＞
流路４１ｂ及び流路４２ｅがチャンバ４１の開口部１０ｄ側に位置しているとともに、点火プラグ２１がチャンバ４１の開口部１０ｄ側に位置しているため、混合ガスは、点火プラグ２１の近傍に供給されやすく、バーナ４０の点火性能を改善することができる。
【００６２】
温水装置１００において、ネジ６の中心軸を延長した仮想線ＶＬが開口部１０ｄを通過するようにネジ６の中心軸が傾斜している場合には、作業者は、さらにネジ６の回転が行いやすくなる。
【００６３】
温水装置１００において、フランジ４２ｆが平坦面部４２ｆｅを有しているとともに、チャンバ４１が平坦面部４１ｅを有している場合には、平坦面部４１ｅ及び平坦面部４２ｆｅが互いに当接することにより、第１方向ＤＲ１に沿う回転軸周りのファン４２のチャンバ４１に対する相対的な回転が抑制される。
【００６４】
温水装置１００において、第３面４１ｃａが凹部４１ｄを有しているとともに、その底面４１ｄａにネジ穴４１ｄｂが形成されている場合には、タップ等のネジ穴４１ｄｂを形成するための工具がネジ穴４１ｄｂを形成しようとする位置からずれにくいため、ネジ穴４１ｄｂを精度よく形成することができる。
【００６５】
温水装置１００において、ネジ穴４１ｄｂがフランジ４１ｃを貫通している場合には、ネジ穴４１ｄｂを形成する際に発生した切屑を容易にネジ穴４１ｄｂから排出することができる。
【００６６】
以上のように本発明の実施形態について説明を行ったが、上述の実施形態を様々に変形することも可能である。また、本発明の範囲は、上述の実施形態に限定されるものではない。本発明の範囲は、特許請求の範囲によって示され、特許請求の範囲と均等の意味及び範囲内での全ての変更を含むことが意図される。
【産業上の利用可能性】
【００６７】
上記の実施形態は、温水装置に特に有利に適用される。
【符号の説明】
【００６８】
１０  筐体、１０ａ  背板、１０ｂ  側板、１０ｃ  側板、１０ｄ  開口部、２０  一次熱交換器、２１  点火プラグ、３０  二次熱交換器、４０  バーナ、４１  チャンバ、４１ａ  吸入口、４１ｂ  流路、４１ｃ  フランジ、４１ｃａ  第３面、４１ｃｂ  第４面、４１ｄ  凹部、４１ｄａ  底面、４１ｄｂ  ネジ穴、４１ｅ  平坦面部、４２  ファン、４２ａ  ファンケース、４２ｂ  羽根車、４２ｃ  モータ、４２ｄ  吐出口、４２ｅ  流路、４２ｆ  フランジ、４２ｆａ  第１面、４２ｆｂ  第２面、４２ｆｃ  座面部、４２ｆｄ  貫通孔、４２ｆｅ  平坦面部、４３  ダクト、４４  ベンチュリ、４５  オリフィス、４６  ガスバルブ、５０ａ，５０ｂ，５０ｃ，５０ｄ，５０ｅ，５０ｆ，５０ｇ  配管、５１ａ，５１ｂ  バイパス配管、５２  バイパスサーボ、１００  温水装置、ＤＲ１  第１方向、ＤＲ２  第２方向、ＶＬ  仮想線、６  ネジ、６ａ  頭部、６ｂ  先端部。
【図１】
2020030015.tif 000003
【図２】
2020030015.tif 000004
【図３】
2020030015.tif 000005
【図４】
2020030015.tif 000006
【図５】
2020030015.tif 000007
【図６】
2020030015.tif 000008
【図７】
2020030015.tif 000009
【図８】
2020030015.tif 000010
【図９】
2020030015.tif 000011
【図１０】
2020030015.tif 000012
【図１１】
2020030015.tif 000013
【図１２】
2020030015.tif 000014
【図１３】
2020030015.tif 000015
【図１４】
2020030015.tif 000016